(57)【要約】【課題】アリ溝の内面の仕上げ精度を確保しながらも生産性に優れた取り付け台を提供する。【解決手段】  取付対象物Ｐを取り付けるための上方開口のアリ溝６が上面部に延設される形態で射出成形される取り付け台１であって、アリ溝６の底壁部７ｂで分割した複数の分割部材１Ａ、１Ｂから構成されている。【選択図】図２
2009243505.tif 000002
【特許請求の範囲】
【請求項１】
取付対象物を取り付けるための上方開口のアリ溝が上面部に延設される形態で射出成形される取り付け台であって、前記アリ溝の底壁部で分割した複数の分割部材から構成されている取り付け台。
【請求項２】
前記分割部材どうしを嵌合接続するための嵌合接続手段が設けられている請求項１記載の取り付け台
【請求項３】
前記嵌合接続手段が、一方の前記分割部材の分割端面に突設された嵌合凸部と、他方の分割部材の分割端面に凹設された嵌合凹部とから構成されている請求項２記載の取り付け台。
【発明の詳細な説明】
【技術分野】
【０００１】
本発明は、管類（例えば、電線管や給排水管等）や機器類（例えば、空調機の室外機等）等の取付対象物を地面や土間等の被設置面の上方側で支持する状態で取り付けるのに使用される取り付け台に関し、詳しくは、取付対象物を取り付けるための上方開口のアリ溝（すなわち、溝幅よりも開口幅が小さい溝）が上面部に延設される形態で射出成形される取り付け台に関する。
【背景技術】
【０００２】
従来、この種の取り付け台は、型部材を組み付けて構成される金型内に溶融樹脂を射出することによって一体的な横断面形状を有する形態に構成されていた。そのため、開口幅が溝幅よりも小さなアリ溝を成形する型部材を脱型するのに、そのアリ溝成形用の型部材をアリ溝の延設方向（すなわち、長手方向）に沿って引き抜き操作していた。
【発明の開示】
【発明が解決しようとする課題】
【０００３】
ところが、上記の如き従来の取り付け台では、脱型工程における当該アリ溝成形用の型部材の引き抜き操作長さが長いため、脱型工程に時間が掛かり、また、生産スペースも大きくなる問題があった。
【０００４】
しかも、当該型部材の引き抜き操作において、アリ溝の内面の長い距離に亘って型部材を摺動させるため、比較的高い精度且つ遅い速度で引き抜き操作しなければ、アリ溝の内面の仕上げ精度を十分に確保することができず、そのことで、脱型工程に掛かる時間がさらに増えているのが実情であった。
【０００５】
本発明は、上述の実情に鑑みて為されたものであって、その主たる課題は、アリ溝の内面の仕上げ精度を確保しながらも生産性に優れた取り付け台を提供する点にある。
【課題を解決するための手段】
【０００６】
本発明の第１特徴構成は、取り付け台に係り、その特徴は、
取付対象物を取り付けるための上方開口のアリ溝が上面部に延設される形態で射出成形される取り付け台であって、前記アリ溝の底壁部で分割した複数の分割部材から構成されている点にある。
【０００７】
上記構成によれば、分割部材のアリ溝形成部分を成形する型部材をアリ溝の溝幅方向（短手方向）に沿う引き抜き操作により脱型することができるから、脱型工程における型部材の引き抜き操作長さを短くすることができ、これにより、脱型工程に要する時間の短縮化と生産スペースの小スペース化を効果的に達成することができる。
【０００８】
しかも、当該型部材の引き抜き操作において、型部材がアリ溝の内面を摺動する距離を短くすることができるから、アリ溝の内面の仕上げ精度を十分に確保しながらも、当該型部材の引き抜き操作を比較的低い精度且つ比較的速い速度で行うことができ、これにより、アリ溝の内面の仕上げ精度を確保するのに伴って脱型工程に要する時間がさらに増える不具合も効果的に抑止することができる。
【０００９】
本発明の第２特徴構成は、第１特徴構成の実施に好適な構成であり、その特徴は、
前記分割部材どうしを嵌合接続するための嵌合接続手段が設けられている点にある。
【００１０】
上記構成によれば、前記嵌合接続手段によって前記分割部材どうしを容易且つ短時間で接続することができるから、現場での施工性を効果的に向上させることができる。
【００１１】
本発明の第３特徴構成は、第２特徴構成の実施に好適な構成であり、その特徴は、
前記嵌合接続手段が、一方の前記分割部材の分割端面に突設された嵌合凸部と、他方の分割部材の分割端面に凹設された嵌合凹部とから構成されている点にある。
【００１２】
上記構成によれば、嵌合接続手段を構成する嵌合凸部と嵌合凹部の夫々が分割部材の分割端面に形成されているから、嵌合接続状態において嵌合凸部と嵌合凹部が外面側や内面側に露出することがない。そのため、外部空間や内部空間を重量調整等の付加的な目的のための空間として活用し易くすることができる。
【発明を実施するための最良の形態】
【００１３】
図１〜図３は、電線管や給排水管等の管類Ｐ（取付対象物の一例）を被設置面Ｇの上方側で支持する状態で取り付けて使用される樹脂製の取り付け台１を示し、この取り付け台１は、一対の側壁板部２、２、前壁板部３、後壁板部４、天井壁板部５を主要構成とする下面が開放された箱体から構成されている。
【００１４】
つまり、当該取り付け台１は、下方開口部１０から充填材１６（例えば、コンクリートや溶融スラグなど）を充填することによって取り付け台１の重量を適宜に調整し得るように構成されている。
【００１５】
前記取り付け台１の上面部（つまり、天井壁板部５、前壁板部３の上端部、後壁板部４の上端部）には、上方に向かって開口するアリ溝６が設けられている。当該アリ溝６は、本例では、管類Ｐに対する管類用連結具Ｔ（取付対象物に対する連結具の一例）の下片部ｔ１（被掛止部の一例）がアリ溝６に対する内挿状態でアリ溝６の開口縁部に掛止可能に構成されている。なお、管類用連結具Ｔの上方側には、管類Ｐを挟持状態で保持する保持部ｔ２が設けられている。
【００１６】
具体的には、前記アリ溝６は、取り付け台１の上面部の幅方向中央位置において長手方向（前後方向）に沿って取り付け台１の前端から後端に亘る状態で凹設された凹溝７と、この凹溝７の溝側壁部７ａの上端部の各々に内向きで突設された掛止片部８とから構成されている。
【００１７】
前記アリ溝６の溝幅ｗｍは、図２に示すように、管類用固定部Ｔの下片部ｔ１の幅ｗ１よりも大なる幅寸法で構成されているとともに、アリ溝６の開口幅ｗｋは、管類用固定部Ｔの下片部ｔ１に連なる細幅片部ｔ３の幅寸法ｗ２よりも大なる幅寸法で構成されている。
【００１８】
そして、当該取り付け台１は、図３に示すように、前記アリ溝の溝底壁部７ｂで分割した複数（本例では、２つ）の分割部材１Ａ、１Ｂから構成されている。
【００１９】
前記分割部材１Ａ、１Ｂの各々は、分割部材１Ａ、１Ｂどうしの接続状態で前記天井壁板部５を構成する天井壁板形成板部５Ａと、同接続状態で前記前壁板部３を構成する前壁板形成板部３Ａと、同接続状態で前記後壁板部４を構成する後壁板形成板部４Ａと、一方側の側壁板部２とから構成されている。当該天井壁板形成板部５Ａには、接続状態で前記アリ溝の凹溝７を構成する横断面視Ｌの字状（又は、逆Ｌの字状）の凹溝形成板部７Ａと、一方側の係止片部８とが設けられている。
【００２０】
また、当該取り付け台１には、分割部材１Ａ、１Ｂどうしを嵌合接続するための嵌合接続手段９が設けられている。
【００２１】
前記嵌合接続手段９は、一方の分割部材１Ａの分割端面（具体的には、凹溝形成板部７Ａの横端面、前壁板形成板部３Ａの横端面、後壁板形成板部４Ａの横端面）に突設された嵌合凸部９ａと、他方の分割部材１Ｂの分割端面に凹設された嵌合凹部９ｂとから構成されている。
【００２２】
前記嵌合凸部９ａは、分割部材１Ａの分割端面の全面、すなわち、分割部材１Ａにおける前壁板形成板部３Ａの下端から凹溝形成板部７Ａを経て後壁板形成板部４Ａの下端まで至る範囲に延設されているとともに、前記嵌合凹部９ｂも、分割部材１Ｂの分割端面の全面に延設されている。
【００２３】
すなわち、当該取り付け台１は、前記嵌合接続手段９による嵌合接続状態にしたのち、取り付け台１の内部に前記充填材１６としてコンクリート等の硬化材を充填し、硬化させることによって、取り付け台１の重量調整を兼ねて分割部材１Ａ、１Ｂどうしを固着できるように構成されている。
【００２４】
当該取り付け台１は、成形用金型（成形型の一例）内に溶融樹脂Ｊを射出して分割部材１Ａ、１Ｂの各々を成形する射出成形機（図示しない）によって製造される。分割部材１Ａと分割部材１Ｂの成形用金型の構造及び製造方法は同様であるので、分割部材１Ｂの成形用金型１１のみを説明し、分割部材１Ａの成形用金型の説明は省略する。
【００２５】
前記金型１１は、図４〜図６に示すように、分割部材１Ｂの外面側を成形する固定型１３（金型を構成する型部材の一例）と、分割部材１Ｂの内面側を形成する第１可動型１４（前記型部材の一例）と、アリ溝６の内面側を形成する第２可動型１５（前記型部材の一例）とから構成されている。
【００２６】
前記固定型１３の内面側には、分割部材１Ｂにおける側壁板部２の外側面と下端面、天井壁板形成板部５Ａの上面、前壁板形成板部３Ａの外側面、後壁板形成板部４Ａの外側面を形成する成形面が備えられている。また、当該固定型１３には、前記成形面に連通する溶融樹脂射出用のゲート１３ａと、第１可動型１４の上動を規制するための受け片１３ｂが設けられている。
【００２７】
一方、前記第１可動型１４の外面側には、分割部材１Ａにおける側壁板部２の内側面、天井壁板形成板部５Ａの下面、前壁板形成板部３Ａの内側面、後壁板形成板部４Ａの内側面を成形する成形面が備えられている。当該第１可動型１４は、移動手段（図示しない）によって前記固定型１３に対して上下高さ方向に沿って移動可能に構成されている。
【００２８】
また、第１可動型１４には、前記固定型１３に対する所定位置において固定型１３の受け片１３ｂと接当する状態で第１可動型１４の上動を規制する位置決め片１４ａが設けられている。
【００２９】
前記第２可動型１５の外面側には、分割部材１Ｂにおける天井壁板形成板部５Ａの横端面、アリ溝６の内面、前壁板形成板部３Ａの横端面、後壁板形成板部４Ａの横端面を成形する成形面が備えられている。当該第２可動型１５は、移動手段（図示しない）によって前記固定型１３に対して左右幅方向に沿って移動可能に構成されている。
【００３０】
また、第２固定型１５の成形面には、分割部材１Ｂの分割端面の嵌合凹部９ａを形成するための凸部１５ａが設けられている。なお、分割部材１Ａ用の第２固定型１５の成形面には、分割部材１Ａの分割端面の嵌合凸部９ｂを形成するための凹部１５ａが設けられている。
【００３１】
つまり、前記金型１１は、図６（ａ）〜（ｂ）に示すように、前記固定型１３の受け片１３ｂに位置決め片１４ａが接当する状態まで第１可動型１４を上下方向に沿って固定型１３に近接移動させた後、図６（ｂ）〜（ｃ）に示すように、第１可動型１４の外面（及び固定型１３の上方部位の外面）に接当する状態まで第２可動型１５を左右幅方向に沿って固定型１３に近接移動させることによって組み付け可能で、且つ、図６（ｃ）〜（ｄ）に示すように、第２可動型１５を左右幅方向に沿って固定型１３から離間移動させた後、図６（ｄ）〜（ｅ）に示すように、第１可動型１４を上下方向に沿って固定型１３から離間移動させることによって分解可能に構成されている。
【００３２】
すなわち、分割部材１Ａは、図６（ａ）〜（ｃ）に示す上述の工程で前記金型１１を組み付けて、固定型１３のゲード１３ａから溶融樹脂をキャビティ内に射出（図７の（ｄ）を参照）したのち、図７（ｃ）〜（ｅ）に示す上述の工程で金型１１を分解し、その後、成形済みの分割部材１Ａを取り出す工程を経て製造される。
【００３３】
〔その他の実施形態〕
（１）取り付け台１の素材や形態等の具体的構成は、前述の実施形態で示した構成に限らず種々の構成変更が可能である。例えば、前述の実施形態では、取り付け台１が樹脂製である場合を例に示したが、金属製やコンクリート製や木製などであってもよい。また、例えば、前述の実施形態では、取り付け台１が内部空間を有する箱体から構成されている場合を例に示したが、内部空間のない中実体から構成されていてもよい。
【００３４】
（２）前述の実施形態では、取り付け台１が２つの分割部材１Ａ、１Ｂから構成されている場合を例に示したが、３つ以上の分割部材から構成されていてもよい。
【００３５】
（３）取り付け台１の内部に充填する充填材１６は、前述の実施形態で示したコンクリートや溶融スラグに限らず、施工現場の廃材や砂、或いは、モルタル、砂利など、種々の材料を採用することができる。
【００３６】
（４）前述の実施形態では、分割部材１Ａ、１Ｂを嵌合接続手段９によって接続する場合を例に示したが、ビス、ネジ、粘着テープ、結束紐などの種々の接続手段で接続されていてもよい。
【００３７】
（５）嵌合接続手段９の具体的構成は、種々の構成変更が可能であり、例えば、前述の実施形態では、嵌合凸部と嵌合凹部の夫々が分割端面に形成されている場合を例に示したが、分割端面とは別の部位に形成されていてもよい。
【００３８】
（６）前述の実施形態の改良として、図７に示すように、取り付け台１の下方開口部１０の開口縁に、取り付け台１の内部に充填されたコンクリート等の脱落を防止する内向き突出形状の脱落抑止片１７が設けられていてもよい。
【００３９】
なお、当該取り付け台１の分割部材を製造する場合には、前記金型１１を形成する型部材をさらに分割したり、或いは、型部材の基本的な構造はそのままにしながら、脱型工程において脱落抑止片１１を少し弾性変形させながら脱型したりすればよい。
【００４０】
（７）前述の実施形態は、取付対象物として管類Ｐを取り付ける取り付け台１を例に示したが、例えば、図８に示すように、空調機の室外機等の機器類Ｋを取り付ける取り付け台１などであってもよい。
【図面の簡単な説明】
【００４１】
【図１】取り付け台の使用状態を示す斜視図
【図２】取り付け台の横断面図
【図３】取り付け台を分割した状態の水平断面図
【図４】成形用金型の横断面図
【図５】成形用金型の縦断面図
【図６】分割部材の製造工程を示す説明図
【図７】その他の実施形態における取り付け台の横断面図
【図８】その他の実施形態における取り付け台の使用状態を示す斜視図
【符号の説明】
【００４２】
Ｐ            取付対象物
６            アリ溝
７ｂ          底壁部
１Ａ、１Ｂ    分割部材
９            嵌合接続手段
９ａ          嵌合凸部
９ｂ          嵌合凹部
【図１】
2009243505.tif 000003
【図２】
2009243505.tif 000004
【図３】
2009243505.tif 000005
【図４】
2009243505.tif 000006
【図５】
2009243505.tif 000007
【図６】
2009243505.tif 000008
【図７】
2009243505.tif 000009
【図８】
2009243505.tif 000010